【事件の表示】
　特願２００２−１５１６６２「リフロー炉」拒絶査定不服審判事件〔平成１５年１２月　２日出願公開、特開２００３−３４０５６９〕について、次のとおり審決する。
【結　論】
　本件審判の請求は、成り立たない。
【理　由】
第１　手続の経緯・本願発明
　本件出願は、平成１４年５月２７日の出願であって、平成１９年６月１１日付けで拒絶の理由が通知され、同年８月６日に意見書とともに手続補正書が提出されたが、同年９月３日付けで拒絶をすべき旨の査定がされ、これに対し同年１０月５日に拒絶査定に対する審判の請求がなされるとともに、同年１１月５日に手続補正（以下、「本件補正」という。）がされたものである。
　　　　　　　　　　　　　　　　　　　　　　　　　　　　　　　
第２　本件補正についての補正却下の決定
［補正却下の決定の結論］
　本件補正を却下する。
　　　　　　　　　　　　　　　　　　　　　　　　　　　　　　　
［理由］
１　補正の内容の概要
　本件補正は特許請求の範囲について補正をするものであって、特許請求の範囲の請求項１について補正前後の記載を補正箇所に下線を付して示すと以下のとおりである。
　　　　　　　　　　　　　　　　　　　　　　　　　　　　　　　
（１）補正前の請求項１
「トンネル内に予備加熱ゾーン、本加熱ゾーン、冷却ゾーンが設けられ、該トンネル内を搬送装置が走行するリフロー炉において、冷却ゾーンの上下部には搬送装置を挟んで冷却装置が設置されており、該冷却装置は同一面に吹出し口と吸込み口が形成されているとともに、吹出し口と吸込み口間に送風機が取りつけられていて、しかも冷却装置内には冷却水を流動させる冷却パイプが配設されており、該冷却パイプは両端が冷却装置の外部に延長され、一方の冷却パイプは流入管に、そしてもう一方の冷却パイプは流出管に接続されており、流入管は冷却装置の外部に置かれた冷却タンクのポンプに接続されていて、さらにポンプの吸込み管が冷却タンク内の水に没し、流出管は冷却タンク内に挿入され、また冷却タンクの水の中にはチラーの熱交換パイプが配設されていることを特徴とするリフロー炉。」
　　　　　　　　　　　　　　　　　　　　　　　　　　　　　　　
（２）補正後の請求項１
「トンネル内に予備加熱ゾーン、本加熱ゾーン、冷却ゾーンが設けられ、該トンネル内を搬送装置が走行するリフロー炉において、冷却ゾーンの上下部には搬送装置を挟んで
送風を循環させる
吸込口側に
該冷却パイプには冷却パイプに対して垂直方向に立てられた複数のフィンを１つ以上の冷却パイプが貫通されるように設置されており、該冷却フィンの下部には冷却された液状フラックスが貯まるスペースを有し、該冷却フィンの隣には送風機が取りつけられていて、さらに
　　　　　　　　　　　　　　　　　　　　　　　　　　　　　　　
２　補正の適否
　上記補正は、請求項１に記載した発明を特定するために必要な事項である「冷却装置」について、「送風を循環させる冷却装置」と限定し、「冷却パイプ」について「冷却パイプが吸込口側に配設されており」と限定すると共に「該冷却パイプには冷却パイプに対して垂直方向に立てられた複数のフィンを１つ以上の冷却パイプが貫通されるように設置されており、該冷却フィンの下部には冷却された液状フラックスが貯まるスペースを有し、該冷却フィンの隣には送風機が取りつけられていて、」と限定するものであるから、特許請求の範囲の減縮を目的とするものに該当する。
　そこで、本件補正後の特許請求の範囲の請求項１に記載された発明（以下、「本件補正発明」という。）が特許出願の際独立して特許を受けることができるものであるかについて以下に検討する。
　　　　　　　　　　　　　　　　　　　　　　　　　　　　　　　
（１）本件補正発明
　本件補正発明は、本件補正により補正された特許請求の範囲及び明細書並びに図面の記載からみて、前記１の（２）に示す特許請求の範囲の請求項１に記載された事項により特定されたとおりのものであると認められる。
　　　　　　　　　　　　　　　　　　　　　　　　　　　　　　　
（２）引用刊行物
　これに対し、原査定の拒絶の理由に引用され、本件出願日前に日本国内で頒布された刊行物である特開平６−２３２５４６号公報（以下、「刊行物１」という。）、及び本件出願日前に日本国内で頒布された刊行物である特開平６−２１６４１号公報（以下、「刊行物２」という。）には、以下の事項が記載されている。
　　　　　　　　　　　　　　　　　　　　　　　　　　　　　　　
ア　刊行物１
（ア）段落【０００１】
「本発明は、プリント基板に塗付したソルダーペーストを加熱溶融させてはんだ付けを行うリフロー炉、特に炉内を均一な不活性ガス雰囲気にするリフロー炉、およびこのリフロー炉に設置するに適した冷却装置に関する。」
（イ）段落【００２６】〜【００２８】
「本発明第１発明は、予備加熱ゾーン、リフローゾーンおよび冷却ゾーンから構成されたリフロー炉において、それぞれのゾーンに不活性ガスを攪拌させるファンが設置され、冷却ゾーンには内部に冷媒が通過する熱交換器が設置されているとともに、該熱交換器の冷媒流入口は外部の不活性ガス供給源と接続されており、また熱交換器の冷媒流出口は炉内へ不活性ガスを供給させる炉内供給用パイプと接続されていることを特徴とするリフロー炉であり、第２発明は冷却装置の同一面に排出口と吸入口が形成されていて、しかも本体内部には排出口と吸入口を連通させる流通路があり、該流通路にはファンが設置されているとともに、内部には冷媒を流動させる熱交換器が設置されていることを特徴とするリフロー炉用冷却装置である。
　以下図面に基づいて本発明を説明する。図１は本発明リフロー炉の正面断面図、図２はもう一つの発明であるリフロー炉用冷却装置の一部破断した斜視図である。
　リフロー炉１は予備加熱ゾーンＰ、本加熱ゾーンＲ、冷却ゾーンＣから成り、リフロー炉内には図示しないプリント基板を矢印Ａ方向に搬送するコンベア２が走行している。予備加熱ゾーンＰと本加熱ゾーンＲの上下部には一対の面吹き出し型ヒータ３、３が長手方向に互いにわずかにずらして設置されている。・・・」
（ウ）段落【００３０】〜【００３２】
「冷却ゾーンＣにはコンベア２を挟んで上下部に冷却装置４、４が設置されている。冷却装置４は一つの面に排出口５と吸入口６が形成されている。排出口５を形成する部分は箱体７となっており、排出口５の反対側には開口８があいている。開口８と吸入口６は流通路９で連通しており、開口８の近傍にはファン１０が設置されている。
　箱体８の内部には熱交換器１１が設置されている。熱交換器１１はパイプ１２が蛇行して配設されており、該パイプにはフィン１３が螺旋状に巻かれていてパイプが外気と接する表面積を大きくしている。またパイプ１２の両端は冷却装置４から外部に突出しており、一方は冷媒流入口１４となっており、リフロー炉の外部に置かれた図示しない窒素ガス供給源に接続され、もう一方は冷媒流出口１５となっていてリフロー炉の内部に配管された炉内供給用パイプ１６に接続されている。炉内供給用パイプ１６は予備加熱ゾーンＰ、または本加熱ゾーンＲに設置された面吹き出し型ヒータ３の中まで延びている。
　冷却装置４には、排出口５と吸入口６の両方、またはそれらのうちのどちらか一方にフィルター１７を設置しておくと、フィルターにフラックスフュームを吸着させて回収することができる。フラックスフュームは温度が高い状態ではフィルターに接触しても粒子が通過してしまうが、フラックスフュームの温度が低い状態でフィルターに接触すると、ここで液化してフィルターに付着しやすくなる。本発明に使用して好適な結果を出すフィルターとしては、触媒効果を有する多孔質の金属板である。」
（エ）段落【００３５】〜【００３６】
「冷却ゾーンＣでは、冷却装置４内でファン１０が回動しているため、冷却ゾーンに流れ込んできた熱い窒素ガスは冷却装置４の吸入口６から吸入され、流通路９を通って箱体７の中に入る。ここではフィン１３を巻いて表面積の大きくなったパイプ１２が蛇行しており、しかもパイプ内には低温の窒素ガスが流動しているため、箱体７の中に入った熱い窒素ガスは急激に冷やされる。ここで冷やされた窒素ガスは排出口５から吹き出るようになる。冷却ゾーンＣでは予備加熱ゾーンＰや本加熱ゾーンＲから熱い窒素ガスが流れ込んできて、これをパイプ１２に通した冷たい窒素ガスが冷却するものであるが、パイプを流通する冷たい窒素ガスは予備加熱ゾーンや本加熱ゾーンで加熱された熱い窒素ガスで温められてリフロー炉内に供給される。
　また、ソルダーペーストが予備加熱ゾーンＰや本加熱ゾーンＲで加熱されてフラックス中の溶剤や固形成分の気化したフラックスフュームが冷却ゾーンに流れ込むと、冷却装置４で冷却される。ここでフラックスフュームがパイプ１２、フィン１３、フィルター１７等に接触すると液化して付着する。特にフィルターは表面積が大きいため、フラックスフュームが多量に付着する。ここに設置するフィルターを白金のような触媒効果のある多孔質板にしておくと、フラックスフュームが多量に付着した後、このフィルターを加熱すれば、フラックスは容易に揮散しフィルターはきれいな状態に戻る。」
（オ）段落【００３６】
「【発明の効果】以上説明した如く、本発明のリフロー炉は、低温の窒素ガスを冷却装置の冷媒として使用するため、冷却装置の冷却効果が一段と効率よく行え、しかも冷却ゾーンで温められた窒素ガスをリフロー炉内に供給するようにしたことからリフロー炉の温度を下げることがないという二重の効果を有するものであり、また本発明の冷却装置は冷却ゾーンの窒素ガスを循環させると同時に、循環する窒素ガスを冷却装置内に設置した熱交換器で強制冷却するため、冷却効果に優れているという従来にない、リフロー炉用の冷却装置である。」
（カ）図１
　リフロー炉１がトンネル状となっており、当該トンネル内に予備加熱ゾーンＰ、本加熱ゾーンＲ、冷却ゾーンＣが設けられ、また、該トンネル内をコンベア２が走行することが看取される。
（キ）図１及び２
　排出口５と吸入口６間にファン１０が取りつけられ、フィン１３の近隣には該ファン１０が取りつけられていることが看取される。
　　　　　　　　　　　　　　　　　　　　　　　　　　　　　　　
　これらの記載事項を、図１及び２を参照しつつ、技術常識を勘案して本件補正発明に照らして整理すると、刊行物１には次の発明（以下、「刊行物１記載の発明」という。）が記載されていると認められる。
「トンネル内に予備加熱ゾーン、本加熱ゾーン、冷却ゾーンが設けられ、該トンネル内をコンベア２が走行するリフロー炉において、冷却ゾーンの上下部にはコンベア２を挟んで送風を循環させる冷却装置が設置されており、該冷却装置は同一面に排出口５と吸入口６が形成されているとともに、排出口５と吸入口６間にファン１０が取りつけられていて、しかも冷却装置内には低温の窒素ガスを流動させるパイプ１２が排出口５側に配設されており、該パイプ１２にはフィン１３が設置されており、該フィン１３の近隣にはファン１０が取りつけられていて、さらに該パイプ１２はその両端が冷却装置の外部に延長され、一方のパイプは冷媒流入口１４に、そしてもう一方のパイプは冷媒流出口１５に接続されているリフロー炉。」
　　　　　　　　　　　　　　　　　　　　　　　　　　　　　　　
イ　刊行物２
（ア）段落【０００１】
「【産業上の利用分野】本発明はチッソリフロー装置に係り、詳しくは、両面実装基板の下面に実装されたチップが再加熱されて熱ダメージを受けるのを回避できるチッソリフロー装置に関する。」
（イ）段落【００１１】〜【００１３】
「図１において、加熱室１の下部は仕切壁２１で４つの空間に仕切られており、仕切壁２１で仕切られた各々の下部空間には、冷却手段としての熱交換用パイプ２２が加熱室１を横断する方向に配設されている。コンベア４とパイプ２２の間にはシャッター手段としてのプレート２３が配設されており、プレート２３の両側部には開閉手段としてのダンパ２４が設けられている。図４に示すようにダンパ２４はピン２５に軸着されており、ピン２５を中心に回転して開閉する。・・・。
　図２、図３に示すように、・・・したがってブロア２７が駆動すると、外部の空気はパイプ２２の内部を流通してダクト２８から排出される（破線矢印参照）。勿論、冷媒としては空気以外のものでもよい。
　図１において、加熱室１の下部にはファンケース２９が設けられており、その内部にはシロッコファン３０が設けられている。図３に示すように、ファン３０は加熱室１の側壁に設けられたモータ３１に駆動されて回転する。ファン３０が回転すると、コンベア４の下部空間のチッソガスは、矢印Ｎ方向に循環する。・・・」
（ウ）段落【００１５】
「・・・第２回目のリフロー時には、ブロア２７を駆動して、外部の常温の空気を熱交換用パイプ２２内に通し、加熱室１の下部空間の温度が過度に上昇しないようにする。このとき、ダンパ２４は図４実線で示すように開いておく。因みに、パイプ２２の熱交換作用により、予熱ゾーンＴ１は１００℃、均熱ゾーンＴ２は１１０℃、リフローゾーンＴ３は１６０℃程度に温度が抑えられ、したがってチップ９が熱ダメージを受けたり、半田１４が再溶融するのを解消できる。」
（エ）図１及び４
　二つの開口間にシロッコファン３０が取りつけられ、一方の開口に熱交換用パイプ２２配設されていることが看取される。
　そして、チッソガスが循環する矢印Ｎ方向との関係から、一方の開口が吹出し口であり、他方の開口が吸い込み口ということができる。
　　　　　　　　　　　　　　　　　　　　　　　　　　　　　　　
　これらの記載事項を、図１〜４を参照しつつ、技術常識を勘案して本件補正発明に照らして整理すると、刊行物２には次の事項（以下、「刊行物２記載の事項」という。）が記載されていると認められる。
「チッソリフロー装置に設置され、吹出し口と吸込み口間にシロッコファン３０が取りつけられた冷却装置において、熱交換用パイプ２２を吸込口側に配設すること。」
　　　　　　　　　　　　　　　　　　　　　　　　　　　　　　　
（３）対比
　本件補正発明と刊行物１記載の発明とを対比すると、刊行物１記載の発明の「コンベア２」は本件補正発明の「搬送装置」に、以下、同様に、「排出口６」は「吹出し口」に、「吸入口５」は「吸込み口」に、「ファン１０」は「送風機」に、「パイプ１２」は「冷却パイプ」に、「フィン１３」は「冷却フィン」に、「フラックスフューム」は「フラックス」に、「冷媒流入口１４」は「流入管」に、「冷媒流出口１５」は「流出管」に、それぞれ相当することは明らかである。
　そして、刊行物１記載の発明の「低温の窒素ガス」は、「冷媒」である限りで、本件補正発明の「冷却水」と共通している。
　また、刊行物１記載の発明の「フィン１３の近隣には」は、「冷却ファンの近隣には」という限りで、本件補正発明の「冷却ファンの隣には」と共通している。
　　　　　　　　　　　　　　　　　　　　　　　　　　　　　　　
　してみると、両者の一致点及び相違点は、以下のとおりである。
［一致点］
「トンネル内に予備加熱ゾーン、本加熱ゾーン、冷却ゾーンが設けられ、該トンネル内を搬送装置が走行するリフロー炉において、冷却ゾーンの上下部には搬送装置を挟んで送風を循環させる冷却装置が設置されており、該冷却装置は同一面に吹出し口と吸込み口が形成されているとともに、吹出し口と吸込み口間に送風機が取りつけられていて、しかも冷却装置内には冷媒を流動させる冷却パイプが配設されており、該冷却パイプには複数のフィンが設置されており、該冷却フィンの近隣には送風機が取りつけられていて、さらに該冷却パイプはその両端が冷却装置の外部に延長され、一方の冷却パイプは流入管に、そしてもう一方の冷却パイプは流出管に接続されているリフロー炉。」
　　　　　　　　　　　　　　　　　　　　　　　　　　　　　　　
［相違点１］
　本件補正発明では、冷媒が冷却水であり、流入管は冷却装置の外部に置かれた冷却タンクのポンプに接続されていて、さらにポンプの吸込み管が冷却タンク内の水に没し、流出管は冷却タンク内に挿入され、また冷却タンクの水の中にはチラーの熱交換パイプが配設されているのに対して、
　刊行物１記載の発明では、冷媒が窒素ガスであり、冷却パイプはポンプ、冷却タンク等の冷却水を冷却するための装置には接続されていない点。
　　　　　　　　　　　　　　　　　　　　　　　　　　　　　　　
［相違点２］
　本件補正発明では、冷却パイプが吸込口側に配設されているのに対して、
　刊行物１記載の発明では、冷却パイプが吹出口側に配設されている点。
　　　　　　　　　　　　　　　　　　　　　　　　　　　　　　　
［相違点３］
　本件補正発明では、冷却パイプに対して垂直方向に立てられた複数のフィンを１つ以上の冷却パイプが貫通されるように設置されており、該冷却フィンの下部には冷却された液状フラックスが貯まるスペースを有し、該冷却フィンの隣には送風機が取りつけられているのに対して、
　刊行物１記載の発明では、フィンはそのように設置されてなく、また、該冷却フィンの近隣に送風機が取りつけられているものの、冷却された液状フラックスが貯まるスペースを有することについては不明である点。
　　　　　　　　　　　　　　　　　　　　　　　　　　　　　　　
（４）相違点についての判断
ア　相違点１について
　リフロー炉において、冷却のための冷媒として冷却水を使用することは周知の事項であり（必要であれば、特開２００１−７５０７号公報、特開２００１−２３０５４２号公報参照）、また、冷却水を冷却する装置として、吸い込み管が冷却タンク内の水に没した冷却ポンプ、チラーの熱交換パイプが配設されている冷却タンク等からなるものも、様々な分野で採用されている周知の事項である（必要であれば、特開昭６２−４７４００号公報の第３頁左上欄第６〜１０行、特開平３−１６４１５７号公報の第２頁左上欄第１２〜１８行、特開２００１−２５６２６号公報の段落【０００７】，【０００８】参照）。
　してみると、刊行物１記載の発明に、上記各周知の事項を適用し、冷媒を冷却水に換えて冷却水を冷却するために各冷却パイプを外部に置かれた上記冷却水を冷却する装置に接続することにより、相違点１に係る本件補正発明の特定事項とすることは当業者であれば容易に想到し得たことである。
　　　　　　　　　　　　　　　　　　　　　　　　　　　　　　
イ　相違点２について
　上記刊行物２記載の事項の「チッソリフロー装置」、「シロッコファン３０」、「熱交換用パイプ２２」は、本件補正発明の「リフロー炉」、「送風機」、「冷却パイプ」に、それぞれ相当することは明らかである。
　そうすると、刊行物２に記載の事項は、「リフロー炉に設置され、吹出し口と吸込み口間に送風機が取りつけられた冷却装置において、冷却パイプを吸込口側に配設すること。」とすることができる。
　また、一般的にも、冷却装置において、冷却パイプを吸込口側に配設することは、例えば、特開平８−６１６９１号公報の図２、特開平９−１０５５３６号公報の図１等に記載されているように従来周知の事項である。
　したがって、刊行物１記載の発明における冷却装置に刊行物２記載の事項ないし上記周知の事項を採用し、冷却パイプの配設位置を吸込口側に変更することは、当業者が適宜なし得た設計的事項にすぎないことである。
　　　　　　　　　　　　　　　　　　　　　　　　　　　　　　　
ウ　相違点３について
　冷却装置において、冷却パイプに対して垂直方向に立てられた複数のフィンを１つ以上の冷却パイプが貫通されるように設置されているものは、例えば、特開昭６４−８７０６１号公報の第３図、特開平７−１６２９７４号公報の図２，３にも記載されているように、本件出願前に周知技術である。
　刊行物１において、図１，２の記載によれば、冷却装置４は、内側に段部を有する筺体となっていることが看取され、上記相違点２について検討したように、冷却パイプを吸込口側に配設した場合には、フィンの下部である前記段部又は筺体の底部が、冷却された液状フラックスが貯まるスペースとなることは明らかである。
　また、送風機の取りつけ箇所をフィンの隣とすることも設計的事項にすぎない。
　してみると、刊行物１記載の発明の冷却装置に刊行物２記載の事項ないし上記周知の事項を採用して相違点３に係る本件補正発明の特定事項とすることは当業者であれば容易になし得た設計的事項にすぎないことである。
　　　　　　　　　　　　　　　　　　　　　　　　　　　　　　　
　そして、本件補正発明によってもたらされる効果も、刊行物１記載の発明、刊行物２記載の事項及び上記各周知技術から当業者であれば十分予測できるものであって格別なものとはいえない。
　　　　　　　　　　　　　　　　　　　　　　　　　　　　　　　
　したがって、本件補正発明は、刊行物１記載の発明、刊行物２記載の事項及び上記各周知技術に基いて当業者が容易に発明をすることができたものであるから、特許法第２９条第２項の規定により特許出願の際独立して特許を受けることができない。
　　　　　　　　　　　　　　　　　　　　　　　　　　　　　　　
３　むすび
　したがって、本件補正は、平成１８年法律第５５号改正附則第３条第１項によりなお従前の例によるとされる同法による改正前の特許法第１７条の２第５項において準用する同法第１２６条第５項の規定に違反するので、同法第１５９条第１項において読み替えて準用する同法第５３条第１項の規定により却下すべきものである。
　　　　　　　　　　　　　　　　　　　　　　　　　　　　　　　
第３　本願発明について
１　本願発明
　本件補正は上記のとおり却下されたので、本件出願の請求項１に係る発明は、平成１９年８月６日に補正された特許請求の範囲及び明細書並びに図面の記載からみてその請求項１に記載された事項により特定されるとおりのものと認められるところ、請求項１に係る発明（以下、「本願発明」という。）は前記第２の１の（１）に示したとおりである。
　　　　　　　　　　　　　　　　　　　　　　　　　　　　　　　
２　引用刊行物
　これに対し、原査定の拒絶の理由に引用され、本件出願日前に日本国内で頒布された刊行物である特開２００１−７５０７号公報（以下、「刊行物３」という。）には、以下の事項が記載されている。
　　　　　　　　　　　　　　　　　　　　　　　　　　　　　　　
（１）段落【０００１】
「【産業上の利用分野】本発明はプリント配線板に電子部品をハンダ接続するリフロー装置に係り、特にハンダを冷却する冷却部の構造改良に関するものである。」
（２）段落【０００５】
「本発明の目的はプリント配線板の加熱溶融されたハンダの冷却速度を早めて溶融ハンダを完全に固まらせた後にリフロー装置から搬出する。尚且つハンダの結晶粒を微細にし粘り強くすることで回路パターン部とリード端子との接合信頼性を高めることができる新しいリフロー装置を提供するものである。」
（３）段落【０００９】〜【００１２】
「図１は本発明の実施例に係るリフロー装置の横断面図である。
　１はリフロー装置、２はプリント配線板を加熱する加熱部、３はプリント配線板を冷却する冷却部、４はプリント配線板、５は搬送機、６は送風機、７は冷却部の温度を下げる熱交換機、２１は加熱機、２２はプリント配線板を搬入する搬入口、２３は搬出口である。
　リフロー装置１は大略、加熱部２、冷却部３、搬送機５とから構成されている。この加熱部２の長さは約３ｍで、幅約８０ｃｍ、高さ約１．５ｍ程度であり、加熱部２内にプリント配線板４を介して上下２段に上下間隔約２０cmにて加熱機２１が複数個設けられている。この加熱機２２は具体的には赤外線ヒーターであり、この加熱機２２がプリント配線板４を上下両面から加熱する。
　次に冷却部３の長さは約８０ｃｍ、幅約８０ｃｍ、高さ約１．５ｍ程度であり、前記プリント配線板４を介して上下２段に上下間隔約２０cmにて本発明の特徴とする熱交換機７が設けられ、この熱交換機７の表面を構成する赤外線吸収部材がプリント配線板４から放射する熱を吸収する。そして熱交換機７の上方に送風機６が設けられている。熱交換機７は風通しを良くする貫通孔を設けている。」
（４）段落【００１４】
「・・・そして冷却部３を搬送中にプリント配線板４を介して上下２段に設けられた熱交換機７がプリント配線板４からの輻射熱を吸収する。また送風機６で冷却部３内の空気を強制的に対流させ冷却効果を高めている。・・・」
（５）段落【００１６】〜【００１７】
「図２は本発明の実施例に係る熱交換機の概略図である。
　上記熱交換機７は大略、冷却パネル部７１、パイプ７２と熱交換機駆動部７３とから構成されている。これらの冷却パネル部７１は冷却部３の内部に設置され、熱交換機駆動部７３は冷却部３の外部に設置されパイプ７２で接続されている。詳細には冷却パネル部７１は大略横幅約５０cm、縦幅約５０cm、厚み約７cmの４角形である。そして冷却パネル部７１は冷媒流通パイプ７２の片面を冷却板としての銅板を載置し、更にその表面に赤外線吸収部材７４を被覆した構成となっている。この冷却パイプ７２は輻射熱の吸収する面積を多くするために冷却板に接してジグザグ状に配置している。銅板からなる冷却板の代わりに冷却板自身を赤外線吸収材料の板で構成しても良い。冷却パネル部７１の表面を構成する赤外線吸収部材７４は例えば樹脂、セラミック、酸化金属、カーボン等の内の少なくとも１つから成り、ハンダ付けされたプリント配線板４から放射される赤外域の放射に対して８０％以上の吸収特性を持つ。そして冷却パネル部７１は冷却すべきプリント配線板４の搬送路を挟んで図１のように上下２段に配置される。かくして、冷却パネル部７１の赤外線吸収部材面が通過するプリント配線板４の輻射熱を効率良く吸収することができ、吸収した熱は冷却パネル部７１内の銅板を熱伝達してパイプ７２に伝わる。更に熱はパイプ７２内の冷媒によって冷却部３の外部に設置されている熱交換機駆動部７３に熱伝達される。次に熱は熱交換機駆動部７３によって放熱され冷媒は冷却され、再びパイプ７２を通って冷却パネル部７１を循環する。冷媒としては具体的には純水を使用し、例えば冷却板の表面温度を１００度Ｃに保持するよう純水の温度を約５度Ｃ、流量を約１ｌ／分に制御する。」
（６）段落【００２２】
「【発明の効果】以上説明したとおり、本発明のようなリフロー装置は、加熱溶融されたハンダの冷却速度を早めて溶融ハンダを完全に冷却し固まらせた後にリフロー装置から搬出することができる。尚且つハンダの結晶粒を微細にし粘り強くすることで回路パターン部とリード端子との接合信頼性を高めることができる。」
（７）図１
　リフロー装置１がトンネル状となっており、当該トンネル内に加熱部２、冷却部３が設けられ、また、該トンネル内を搬送機５が走行するのが看取される。
　　　　　　　　　　　　　　　　　　　　　　　　　　　　　　　
　これらの記載事項を、図１及び２を参照しつつ、技術常識を勘案して本願発明に照らして整理すると、刊行物３には次の発明（以下、「刊行物３記載の発明」という。）が記載されていると認められる。
「トンネル内に加熱部２、冷却部３が設けられ、該トンネル内を搬送機５が走行するリフロー装置１において、冷却部３の上下部には搬送機５を挟んで冷却パネル部７１及び上部に送風機６が設置されており、しかも冷却パネル部７１には冷却水を流動させる冷却パイプ７２が配設されており、該冷却パイプ７２は両端が冷却パネル部７１の外部に延長され、冷却装置の外部に置かれた熱交換機駆動部７３に接続されているリフロー装置１。」
　　　　　　　　　　　　　　　　　　　　　　　　　　　　　　　
３　対比・判断
　本願発明と刊行物３記載の発明とを対比すると、刊行物３記載の発明の「リフロー装置１」は本願発明の「リフロー炉」に、以下、同様に、「冷却部３」は「冷却ゾーン」に、「搬送機５」は「搬送装置」に、それぞれ相当することは明らかである。
　そして、刊行物３記載の発明の「加熱部２」は、「加熱ゾーン」である限りで、本願発明の「予備加熱ゾーン、本加熱ゾーン」と共通し、また、刊行物３記載の発明の「上下部の冷却パネル部７１及び上部の送風機６」は、「冷却装置」である限りで、本願発明の「冷却装置」と共通し、さらに、刊行物３記載の発明の「熱交換機駆動部７３」は、「冷却水を冷却する装置」である限りで、本願発明の「流入管が冷却タンクのポンプに接続されていて、さらにポンプの吸込み管が冷却タンク内の水に没し、流出管は冷却タンク内に挿入され、また冷却タンクの水の中にはチラーの熱交換パイプが配設されている（構成）」と共通している。
　　　　　　　　　　　　　　　　　　　　　　　　　　　　　　　
　してみると、両者の一致点及び相違点は、以下のとおりである。
［一致点］
「トンネル内に加熱ゾーン、冷却ゾーンが設けられ、該トンネル内を搬送装置が走行するリフロー炉において、冷却ゾーンの上下部には搬送装置を挟んで冷却装置が設置されており、該冷却装置内には冷媒を流動させる冷却パイプが配設されており、該冷却パイプは両端が冷却装置の外部に延長され、冷却装置の外部に置かれた冷却水を冷却する装置に接続されているリフロー炉。」
　　　　　　　　　　　　　　　　　　　　　　　　　　　　　　　
［相違点４］
　本願発明では、加熱ゾーンが予備加熱ゾーン及び本加熱ゾーンからなるのに対して、
　刊行物３記載の発明では、加熱ゾーンが加熱部のみからなる点。
　　　　　　　　　　　　　　　　　　　　　　　　　　　　　　　
［相違点５］
　本願発明では、冷却装置は同一面に吹出し口と吸込み口が形成されているとともに、吹出し口と吸込み口間に送風機が取りつけられているのに対して、
　刊行物３記載の発明では、そのようにされていない点。
　　　　　　　　　　　　　　　　　　　　　　　　　　　　　　　
［相違点６］
　本願発明では、一方の冷却パイプは流入管に、そしてもう一方の冷却パイプは流出管に接続されており、流入管は冷却装置の外部に置かれた冷却タンクのポンプに接続されていて、さらにポンプの吸込み管が冷却タンク内の水に没し、流出管は冷却タンク内に挿入され、また冷却タンクの水の中にはチラーの熱交換パイプが配設されているポンプの吸込み管が冷却タンク内の水に没し、また冷却タンクの水の中にはチラーの熱交換パイプが配設されているものであるのに対して、
　刊行物３記載の発明では、熱交換駆動部７３がどのようなものか不明であり、また、どのように冷却パイプが接続されているのかも不明である点。
　　　　　　　　　　　　　　　　　　　　　　　　　　　　　　　
［相違点４及び５について］
　リフロー炉において、加熱ゾーンが予備加熱ゾーン及び本加熱ゾーンからなり、また、冷却装置が、同一面に吹出し口と吸込み口が形成されているとともに、吹出し口と吸込み口間に送風機が取りつけられていることは、本件出願前に周知の事項である。（例えば、上記刊行物１の上記摘記事項イ及びウ、実願平２−１１８９１０号（実開平４−７５６６５号）のマイクロフィルムの第４頁第２０行〜第５頁第７行及び第５頁第１７行〜第６頁第８行参照）。
　してみると、刊行物３記載の発明に、上記周知の事項を適用して相違点４及び５に係る本願発明の特定事項とすることは当業者であれば容易に想到し得たことである。
　　　　　　　　　　　　　　　　　　　　　　　　　　　　　　
［相違点６について］
　上記第２の２（４）アにおいて示したように、冷却水を冷却する装置として、吸い込み管が冷却タンク内の水に没した冷却ポンプ、チラーの熱交換パイプが配設されている冷却タンク等からなるものは、様々な分野で採用されている周知の事項である。
　そして、刊行物３記載の発明に上記周知の冷却水を冷却する装置を採用し、その際に、冷却装置の外部に延長された冷却パイプと該周知の冷却水を冷却するための装置とを接続することにより相違点６に係る本願発明の特定事項とすることは当業者が容易になし得た設計的事項にすぎないことである。
　　　　　　　　　　　　　　　　　　　　　　　　　　　　　　　
　そして、本願発明によってもたらされる効果も、刊行物３記載の発明及び上記各周知技術から当業者であれば十分予測できるものであって格別なものとはいえない。
　　　　　　　　　　　　　　　　　　　　　　　　　　　　　　　
　したがって、本願発明は、刊行物３記載の発明及び上記各周知技術に基いて当業者が容易に発明をすることができたものである。
　　　　　　　　　　　　　　　　　　　　　　　　　　　　　　　
４　むすび
　以上のとおり、本願発明は、特許法第２９条第２項の規定により特許を受けることができない。
　したがって、本件出願は拒絶されるべきものである。
　よって、結論のとおり審決する。